(57)【要約】【課題】メモリカードが収納部にロックされていないことを、メモリカードを破損することなく使用者が確実に認識することができる蓋開閉機構を提供する。【解決手段】筐体２に設けられ、被収納物１２をロック状態とロック状態よりも被収納物１２の一部が筐体２の表面から突き出した非ロック状態とで収納可能な収納部１３と、収納部１３を覆う第１の位置と、第１の位置から筐体２に沿ってスライドした第２の位置と、第２の位置から少なくとも一部が筐体２から離れる方向に移動した第３の位置との間を移動することにより収納部１３を開閉する蓋部２２と、蓋部２２に設けられ、被収納物１２が非ロック状態のときに、第３の位置から第２の位置への移動によって筐体２に設けられた係合部１６側に移動し、移動により蓋部２２の第２の位置から第１の位置へのスライド移動を規制するスライド規制部２３を有すること、を特徴とする蓋開閉機構２１を提供する。【選択図】図７
2010008709.tif 000002
【特許請求の範囲】
【請求項１】
筐体に設けられ、被収納物をロック状態と該ロック状態よりも前記被収納物の一部が前記筐体の表面から突き出した非ロック状態とで収納可能な収納部と、
前記収納部を覆う第１の位置と、該第１の位置から前記筐体に沿ってスライドした第２の位置と、該第２の位置から少なくとも一部が前記筐体から離れる方向に移動した第３の位置との間を移動することにより前記収納部を開閉する蓋部と、
該蓋部に設けられ、前記被収納物が前記非ロック状態のときに、前記蓋部の前記第３の位置から前記第２の位置への移動に応じて前記蓋部の前記第２の位置から前記第１の位置へのスライド移動を規制する規制位置に移動するスライド規制部を有すること、
を特徴とする蓋開閉機構。
【請求項２】
請求項１に記載の蓋開閉機構であって、
前記被収納物が非ロック状態であることを検出する検出部を備え、
該検出部は、被収納物の押圧により非ロック状態を検出し、その検出結果に応じて前記スライド規制部の下面が前記係合部の係合面の対面に移動し、前記スライド規制部の下面と前記係合部の係合面との距離が、前記第２の位置から前記第１の位置へスライド移動する距離よりも短いこと、
を特徴とする蓋開閉機構。
【請求項３】
請求項２に記載の蓋開閉機構であって、
前記スライド規制部と前記検出部とは、前記蓋部に固定された軸部材を中心として回転可能に保持された一体部材の両端に形成され、前記蓋部に対して近接する位置と離間する位置との間で移動可能であること、
を特徴とする蓋開閉機構。
【請求項４】
請求項３に記載の蓋開閉機構であって、
前記一体部材の前記検出部側を前記蓋部から離間する方向に付勢する付勢部材を備えること、
を特徴とする蓋開閉機構。
【請求項５】
請求項４に記載の蓋開閉機構であって、
前記被収納物が非ロック状態の場合に、前記蓋部が前記第３の位置から前記第２の位置に移動したときに、前記検出部が前記被収納物に当接して被収納物によって前記付勢部材に抗して前記蓋部側に押圧され、前記一体部材が前記軸部材を中心として回転し、前記スライド規制部が前記蓋部から離れる方向に移動して前記筐体の係合部側に移動し、前記蓋部の前記筐体に沿ったスライド移動が規制されること、
を特徴とする蓋開閉機構。
【請求項６】
請求項１〜５のいずれか１項に記載の蓋開閉機構を備える電子機器。
【発明の詳細な説明】
【技術分野】
【０００１】
本発明は、蓋開閉機構及び電子機器に関するものである。
【背景技術】
【０００２】
従来、メモリカード等の被収納物をロック状態とそのロック状態よりもメモリカードが外側に突き出した非ロック状態とで収納可能な収納部と、その収納部に対して回転及びスライドすることによりその収納部を開閉する蓋部と、を備える蓋開閉機構が存在する。このような蓋開閉機構において、蓋部内面に突部を設け、被収納物が非ロック状態の場合に、その突部を被収納物に突き当てて、蓋部がスライドできないように構成したものがある（例えば、特許文献１参照）。
【特許文献１】特開２００１−７５１５９号公報
【発明の開示】
【発明が解決しようとする課題】
【０００３】
しかし、上記蓋開閉機構では、蓋部の突部が被収納物に突き当たっていることに気付かずに使用者が蓋部をスライドさせようとした場合、突部によってメモリカード等の被収納物が押されて、被収納物が破損する可能性がある。
【０００４】
本発明の課題は、使用者に対して、被収納物の収納部に対する非ロック状態を、被収納物に悪影響を与えることなく確実に認識させることができる蓋開閉機構を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、筐体（２）に設けられ、被収納物（１２）をロック状態と該ロック状態よりも前記被収納物（１２）の一部が前記筐体（２）の表面から突き出した非ロック状態とで収納可能な収納部（１３）と、前記収納部（１３）を覆う第１の位置と、該第１の位置から前記筐体（２）に沿ってスライドした第２の位置と、該第２の位置から少なくとも一部が前記筐体（２）から離れる方向に移動した第３の位置との間を移動することにより前記収納部（１３）を開閉する蓋部（２２）と、該蓋部（２２）に設けられ、前記被収納物（１２）が前記非ロック状態のときに、前記第３の位置から前記第２の位置への移動に応じて前記蓋部（２２）の前記第２の位置から前記第１の位置へのスライド移動を規制する規制位置に移動するスライド規制部（２３）を有すること、を特徴とする蓋開閉機構（２１）である。
請求項２に記載の発明は、請求項１に記載の蓋開閉機構（２１）であって、前記被収納物（１２）が非ロック状態であることを検出する検出部（３０）を備え、該検出部（３０）は、被収納物（１３）の押圧により非ロック状態を検出し、その検出結果に応じて前記スライド規制部の下面が前記係合部の係合面の対面に移動し、前記スライド規制部の下面と前記係合部の係合面との距離が、前記第２の位置から前記第１の位置へスライド移動する距離よりも短いこと、を特徴とする蓋開閉機構（２１）である。
請求項３に記載の発明は、請求項２に記載の蓋開閉機構（２１）であって、前記スライド規制部（２３）と前記検出部（３０）とは、前記蓋部（２２）に固定された軸部材（２８）を中心として回転可能に保持された一体部材の両端に形成され、前記蓋部（２２）に対して近接する位置と離間する位置との間で移動可能であること、を特徴とする蓋開閉機構（２１）である。
請求項４に記載の発明は、請求項３に記載の蓋開閉機構（２１）であって、前記一体部材の前記検出部（３０）側を前記蓋部（２２）から離間する方向に付勢する付勢部材（３１）を備えること、を特徴とする蓋開閉機構（２１）である。
請求項５に記載の発明は、請求項４に記載の蓋開閉機構（２１）であって、前記被収納物（１２）が非ロック状態の場合に、前記蓋部（２２）が前記第２の位置から前記第１の位置に移動したときに、前記検出部（３０）が前記被収納物（１２）に当接して被収納物（１２）によって前記付勢部材（３１）に抗して前記蓋部（２２）側に押圧され、前記一体部材が前記軸部材（２８）を中心として回転し、前記スライド規制部（２３）が前記蓋部（２２）から離れる方向に移動して前記筐体（２）の係合部（１６）と係合することにより、前記蓋部（２２）の前記筐体（２）に沿ったスライド移動が規制されること、を特徴とする蓋開閉機構（２１）である。
請求項６に記載の発明は、請求項１〜５のいずれか１項に記載の蓋開閉機構（２１）を備える電子機器（１）である。
【０００７】
なお、符号を付して説明した構成は、適宜改良してもよく、また、少なくとも一部を他の構成物に代替してもよい。
【発明の効果】
【０００８】
本発明によれば、使用者に対して、被収納物の収納部に対する非ロック状態を、被収納物に悪影響を与えることなく確実に認識させることができる蓋開閉機構を提供することができる。
【発明を実施するための最良の形態】
【０００９】
以下、図面等を参照して、本発明の実施形態について説明する。なお、以下に示す各図には、説明と理解を容易にするために、ＸＹＺ直交座標系を設けた。この座標系では、撮影者が光軸を水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１０】
図１は本発明の一実施形態が適用されたデジタル一眼レフカメラ１をＺマイナス側（背面側）から見た斜視図である。カメラ１のカメラ本体２のＸマイナス側が撮影時に手で保持されるグリップ部２ａとなっている。カメラ本体２の背面には静止画や動画、メニューなどを表示する液晶ディスプレイ３が配置され、液晶ディスプレイ３のＹプラス側には、ファインダ接眼部４が設けられている。液晶ディスプレイ３のＸプラス側には、再生ボタン、メニューボタン等の各種設定ボタン５が配置され、Ｘマイナス側には、押しボタン式方向キーから構成されるマルチセレクタボタン６が配置されている。
【００１１】
カメラ本体２のＺプラス側には、収納位置と発光位置と間を移動可能なポップアップ式閃光装置７が設けられている。ポップアップ式閃光装置７のＸプラス側の上面（Ｙプラス側面）には、撮影モードを選択可能なモードダイヤル８が配置され、Ｘマイナス側の上面には上部液晶パネル９及びレリーズボタン１０が配置されている。グリップ部２ａには、スピーカー１１が設けられ、スピーカー１１の下部には、後述するメモリカード１２の収納部１３を開閉するための蓋部２２が配置されている。
【００１２】
図２は、上述の収納部１３及び蓋部２２を含む蓋開閉機構２１の部分の拡大図であり、また、図３は蓋開閉機構２１のＸＺ平面に沿った断面図である。両図ともに蓋部２２が開いた状態を示すが、図２はメモリカード１２が収納されていない状態、図３はメモリカード１２が収納されている状態を示す。
【００１３】
図示するように、カメラ本体２の側面には凹部１４が形成されており、収納部１３は、この凹部１４においてカメラ本体２の内部に向かってスロット状に開口している。一方、蓋部２２の外面は図１に示したグリップ部２ａの外形に相応する形状を有しており、蓋部２２は、凹部１４を覆うことによりカメラ本体２のグリップ部２ａの一部を構成するようになっている。
【００１４】
凹部１４のＺプラス側端部には、ヒンジピン１５がＹ方向に沿って設けられている。一方、蓋部２２の内面側の端部には、取付ブラケット２４が一体的に形成されている。取付ブラケット２４には、長穴状のガイド穴２４ａが形成されており、ガイド穴２４ａにヒンジピン１５が貫通している。蓋部２２は、図３に示す蓋部２２が開いた開状態から、ヒンジピン１５を中心に回転した図４に示す中間状態に移動することができる。蓋部２２は、さらに、その中間状態から、ヒンジピン１５をガイド穴２４ａに沿うようにしてＺ方向にスライド可能で、図５に示すように蓋部２２がカメラ本体２のグリップ部２ａと一体となった閉状態まで移動することができる。
【００１５】
また、図２に示すように、ヒンジピン１５には開放ばね２５が取り付けられている。開放ばね２５は二股状のねじりばねからなり、コイル部がヒンジピン１５に巻き付けられ、一端部がカメラ本体２に係止され、他端部が蓋部２２の内面に係止されている。この構造により、開放ばね２５は蓋部２２が開放方向に回転するように付勢すると共にこの開放状態を維持するように付勢している。
【００１６】
蓋部２２の内面にはクリックばね２６が取り付けられている。クリックばね２６はＬ字形の板ばねからなり、一方側の屈曲片２６ａがねじ２７によって蓋部２２の内面に固定されている。クリックばね２６の他方の屈曲片２６ｂはヒンジピン１５まで延びており、その先端部分に段部２６ｃが形成されている。段部２６ｃは蓋部２２の開状態においてヒンジピン１５に係合しており、蓋部２２が中間状態と閉状態をスライドするときにヒンジピン１５と係合及び離脱する。この係合離脱によって蓋部２２のスライド時のクリック感を出すようになっている。
【００１７】
蓋部２２の内面と屈曲片２６ａとの間には規制レバー２３が取り付けられている。規制レバー２３は、ヒンジピン１５と垂直な方向に延びるようにして蓋部２２の内面に取り付けられた部材である。規制レバー２３のヒンジピン１５側はストッパ部２９となっており、他側は検出部３０となっている。また、規制レバー２３の長手方向の中央部よりもやや検出部３０側には、ヒンジピン１５と平行に延びる溝部２３ａが設けられている。
【００１８】
この溝部２３ａには、軸部材２８が挿入されている。蓋部２２の内面にはこの軸部材２８を受けるための窪みが形成された受け部２２ａが形成されている。軸部材２８が受け部２２ａの窪みに保持されることにより、規制レバー２３が軸部材２８を中心にシーソー状に回転可能となっている。また規制レバー２３は、軸部材２８が貫通している状態でクリックばね２６の屈曲片２６ａによって押さえられているため、規制レバー２３が蓋部２２から外れることがない。
【００１９】
規制レバー２３の検出部３０は、規制レバー２３における、蓋部２２の開放端側の端部を、凹部１４側に湾曲させることにより形成されている。検出部３０は、蓋部２２を上述した図３に示す開状態から図４に示す中間状態に回転させたときに、メモリカード１２の端部に臨むように取り付け位置が選定されている。なお、検出部３０は外面が丸く形成され、メモリカード１２と接触してもメモリカード１２を損傷しないようになっている。
【００２０】
規制レバー２３のストッパ部２９は、規制レバー２３における、ヒンジピン１５側の端部を、凹部１４側に突出させることにより形成されている。一方凹部１４には、収納部１３と平行に延びる段状の係合凸部１６が形成されている。この係合凸部１６に、規制レバー２３のストッパ部２９が当接されて蓋部２２のスライド移動が規制される。
【００２１】
規制レバー２３は、検出部３０が凹部１４側に傾くように付勢ばね３１によって付勢されている。なお、本実施形態で付勢ばねは、検出部３０と蓋部２２との間に配置された板ばねとして示すが、板ばねに限定されず、コイルばね、ウレタンゴム、スポンジ、モルトプレーンなどを用いてもよい。
【００２２】
また、蓋部２２の自由端側の内面には、閉じ凹部３２が形成されている。また、閉じ凹部３２と対向するようにカメラ本体２の凹部１４のＺマイナス側には、閉じ凸部１７が形成されている。これらの閉じ凹部３２及び閉じ凸部１７が係合して、図５に示す蓋部２２の閉状態となる。
【００２３】
次に、メモリカード１２の収納状態について説明する。メモリカード１２の収納部１３の内部には、カードロック部材（図示せず）が設けられており、メモリカード１２が収納部１３の正常な収納位置まで深く挿入されると、メモリカード１２がカードロック部材にロックされたロック状態となる。図３〜図５は、メモリカード１２がロック状態にある場合を示す。このロック状態では、メモリカード１２の電極端子がカメラ本体２側の接続部（図示せず）と接続され、撮影画像のメモリカード１２への保存が可能となる。
【００２４】
これに対し図６は、図３〜図５と同様に蓋開閉機構２１の部分の拡大図であるが、メモリカード１２がカードロック部材によってロックされていない非ロック状態を示す。非ロック状態でメモリカード１２は、その端部が収納部１３からロック状態よりも突き出した状態となっている。このときはメモリカード１２は、カメラ本体２側の接続部と接続されておらず、画像を記録することができない。非ロック状態でメモリカード１２を押し込むことにより、メモリカード１２を図３で示すロック状態とすることができる。
【００２５】
また、ロック状態のときにメモリカード１２の端部をカメラ本体２側に押圧すると、カードロック部材のロックが解除されてメモリカード１２が収納部１３から押し出され、その端部が突き出した非ロック状態となる。非ロック状態で指で摘み出すことにより、メモリカード１２をカメラ本体２から取り出すことが可能となる。
【００２６】
次に、蓋部２２の開閉動作について説明する。図３〜図５に示すように、メモリカード１２が正常な状態に収納されたロック状態にあるとき、メモリカード１２の端部は収納部１３から殆ど突出していない。
【００２７】
このメモリカードがロック状態のときに、図３に示す開放状態からヒンジピン１５を中心に蓋部２２を回転し、図４で示す中間位置に蓋部２２を移動させると、検出部３０はメモリカード１２と接触する。しかし、単に接触しているだけで検出部３０は、メモリカード１２を押圧しないので、検出部３０がメモリカード１２の端部によって押圧されることもない。このため、規制レバー２３は付勢ばね３１の付勢力によって、検出部３０がメモリカード１２側に傾いた状態を維持し、ストッパ部２９は係合凸部１６と当接しない。したがって、図４の中間状態において蓋部２２をＺプラス方向にスライドさせることができ、蓋部２２は、図５に示すように蓋部２２が収納部１３を覆う閉位置に移動することができる。このとき、閉じ凹部３２及び閉じ凸部１７が係合して閉状態が維持される。
【００２８】
図６及び図７は、メモリカード１２が非ロック状態での動作を示す。非ロック状態でメモリカード１２は、ロック状態時よりも収納部１３から突出している。図６の開状態において、蓋部２２をヒンジピン１５を中心にして回転させると、図７に示すように、検出部３０はメモリカード１２と接触する。このとき、メモリカード１２は図４で示すロック状態の場合よりも収納部１３から突出しているため、検出部３０はメモリカード１２により押圧され、付勢ばね３１の付勢力に抗して凹部１４から離れる矢印Ａの方向に傾く。検出部３０が凹部１４から離れる方向に移動すると、軸部材２８を中心として規制レバー２３が回転し、ストッパ部２９が検出部３０と逆に凹部１４側に矢印Ｂの方向に移動して係合凸部１６側に移動する。このとき、ストッパ部２９の下面と係合凸部１６の係合面とが対面する。そして、ストッパ部２９の下面と係合凸部１６の係合面との距離は、蓋部２２が中間状態から閉状態に移動する距離よりも短くなる。この状態で蓋部２２をＺ方向にスライド移動させようとしても、ストッパ部２９が係合凸部１６に当接して、それ以上のスライドが規制される。
【００２９】
以上、本実施形態によると、以下の効果を有する。
（１）図７に示すように、メモリカード１２が非ロック状態のとき、規制レバー２３がメモリカード１２に押圧されて矢印Ａの方向に傾き、ストッパ部２９がカメラ本体２の係合凸部１６と当接して蓋部２２のスライド動作を規制する。これにより、使用者がメモリカード１２の非ロック状態を認識することができ、使用者に対してメモリカード１２の再セットを促すことができる。
（２）メモリカード１２が非ロック状態の場合に、メモリカード１２に必要以上の外力が作用することなく、蓋部２２のスライド動作が規制されるため、蓋部２２の開閉時におけるメモリカード１２の破損の可能性が低い。
（３）蓋部２２のスライドを規制するストッパ部２９と、メモリカード１２の非ロック状態を検出する検出部３０とを規制レバー２３の両端に一体的に形成しているため、部品点数が少なくなり、組み立てが容易となり、動作も円滑にすることができる。
（４）検出部３０がメモリカード１２と接触するように付勢する付勢ばね３１を設けているため、誤動作がないと共にメモリカード１２の非ロック状態を確実に検出することができる。
（５）検出部３０がメモリカード１２の非ロック状態を検出するため、使用者はメモリカード１２の装填が不十分であることを知ることができ、撮影した画像が保存できないという状況を回避することができる。
【００３０】
（変形形態）
以上、説明した実施形態に限定されることなく、以下に示すような種々の変形や変更が可能であり、それらも本発明の範囲内である。
【００３１】
（１）図８は、規制レバーの変形形態を示す。変形形態の規制レバー２３Ａは、Ｚプラス側端部のストッパ部２９Ａと、Ｚマイナス側端部の検出部３０Ａとを有する板状の一体部材によって形成されている点で実施形態の規制レバー２３と同様であるが、規制レバー２３Ａの両側には、板ばね部３５Ａが一体的に形成されている点が異なる。この規制レバー２３Ａは、実施形態の規制レバー２３と同様に、長手方向の中央部よりもやや検出部３０側Ａに、溝部２３ａが設けられている。この溝部２３ａには、軸部材（図示せず）が挿入され、その軸部材が蓋部に設けられた窪みに保持されることにより、規制レバー２３Ａが軸部材を中心にシーソー状に回転可能となっている。板ばね部３５Ａは、規制レバー２３Ａの検出部３０Ａが凹部１４側に傾くように付勢している。このような規制レバー２３Ａによれば、ストッパ部２９Ａ、検出部３０Ａに加えて板ばね部３５Ａからなる付勢ばねが一体的に形成されるため、部品点数がさらに少なくなり、組み立てが容易となる。
（２）本実施形態では、カメラのメモリカードに対して適用したが、これに限らず、撮影モードを規定する撮影カードやカメラに装着される電池に適用してもよい。又、本実施形態はカメラではなく、パソコン、携帯電話器、ゲーム機、電子辞書、その他の電子機器にも同様にして適用することができる。
（３）本実施形態では、蓋部２２が閉状態からスライドして中間状態に移動し、さらにその中間状態から回転して収納部１３を開く形態について説明した。しかし、これに限らず、蓋部２２が閉状態からスライドして中間状態に移動し、さらにその中間状態から蓋部２２は、回転せずに、凹部１４と平行状態を保ちつつ凹部１４から離れる方向に移動して蓋部２２を開くような構造であってもよい。また、蓋部２２はカメラ本体２の側面でなくても、上面、前面、底面、その他の部位に設けることができる。
（４）ストッパ部２９及びストッパ部２９が当接する係合凸部１６をＺプラス側に設けたが、これらを、閉じ凹部３２、閉じ凸部１７と同様にカメラ本体２の後方側に設けてもよい。
なお、実施形態及び変形形態は、適宜組み合わせて用いることもできるが、詳細な説明は省略する。また、本発明は以上説明した実施形態によって限定されることはない。
【図面の簡単な説明】
【００３２】
【図１】本発明の一実施形態の蓋開閉機構を適用したカメラの斜視図である。
【図２】図１の蓋開閉機構の拡大図である。
【図３】蓋部の開状態における断面図であり、メモリカードがロック状態の場合を示す。
【図４】蓋部の中間状態における断面図であり、メモリカードがロック状態の場合を示す。
【図５】蓋部の閉状態における断面図であり、メモリカードがロック状態の場合を示す。
【図６】蓋部の開状態における断面図であり、メモリカードが非ロック状態の場合を示す。
【図７】蓋部の中間状態における断面図であり、メモリカードが非ロック状態の場合を示す。
【図８】規制レバーの変形形態を示す平面図である。
【符号の説明】
【００３３】
１：カメラ、２：カメラ本体、１２：メモリカード、１３：収納部、１６：係合凸部、２１：蓋開閉機構、２２：蓋部、２３：規制レバー、２９：ストッパ部、３０：検出部
【図１】
2010008709.tif 000003
【図２】
2010008709.tif 000004
【図３】
2010008709.tif 000005
【図４】
2010008709.tif 000006
【図５】
2010008709.tif 000007
【図６】
2010008709.tif 000008
【図７】
2010008709.tif 000009
【図８】
2010008709.tif 000010